(57)【要約】      （修正有）【課題】マフラータオルのファッション性を維持しながら、携帯性と利便性を向上することができるマフラータオルを提供する。【解決手段】二つのポケット１０２、１０４と中間部１０３とから構成され、中間部１０３を折りたたんでひとつのポケットに格納できるようにすることでバッグとしても使用可能なマフラータオル１０１を提供する。さらに、マフラータオルにループ１０５を設け、バッグとして使用する際にループどうしを金具で接続できるようにすると共に、ベルトを接続できるようにし、ショルダーバッグあるいはハンドバッグとして使用できるようにすることが望ましい。【選択図】図１
0003203308.tif 000002
【実用新案登録請求の範囲】
【請求項１】
第一のポケットと第二のポケットと中間部から構成される、バッグとしても使用できるタオルであって、
前記中間部は前記第一のポケットと前記第二のポケットの間に位置し、
前記第二のポケットは前記中間部を折りたたんで格納できる十分な大きさを備えたタオル。
【請求項２】
前記第一のポケットは開口部にファスナーを備える、
請求項１に記載のタオル。
【請求項３】
前記第一のポケットと前記中間部の境界に相当する部分、及び、前記第二のポケットと前記中間部の境界に相当する部分に連結可能なループを設けた
請求項１または請求項２に記載のタオル。
【考案の詳細な説明】
【技術分野】
【０００１】
本考案は、バッグに転用可能なマフラータオルに関する。
【背景技術】
【０００２】
一般にマフラータオルと呼ばれる布製品が知られている。マフラータオルとは、タオル生地等で作られた、長さが1メートル以上あるマフラーのような細長いタオル（スポーツタオルの縦を半分にしたものが一般的なサイズ）であり、コンサート観賞やスポーツ観戦時に客席で掲げる応援グッズとして使用することを主な目的とする製品である。また、ファッションとして、あるいは、防寒のためのマフラーとして首にかけて使ったり、一般的なタオルとして使ったりすることもできる。音楽アーティスト、スポーツ選手、スポーツチーム等の名称を記したマフラータオルを公式グッズとしてファンに販売するビジネスも一般的になっている。
【０００３】
ファンがコンサート会場やスポーツ競技場に行く際には手荷物をできるだけ減らせることが好ましいが、マフラータオルは比較的かさばる物品であり、特に女性のハンドバッグに入れることは困難である。タオルにポケットを設けて小物を収納できるようにしすることでバッグを不要にする発明はあった（たとえば特許文献１）が、自宅からコンサート会場やスポーツ競技場に行くまでの間に安全に小物を収納するのは困難であり、また、ファッション的な観点でも洗練されているとは言いがたかった。
【先行技術文献】
【特許文献】
【０００４】
【特許文献１】特許公開公報  特開２００４−２０９１２１
【考案の概要】
【考案が解決しようとする課題】
【０００５】
小物入れを備えたバッグとしても使用できる、ファッション性の高いマフラータオルを提供する。
【課題を解決するための手段】
【０００６】
本願考案は、第一のポケットと第二のポケットと中間部から構成される、バッグとしても使用できるタオルであって、前記中間部は前記第一のポケットと前記第二のポケットの間に位置し、前記第二のポケットは前記中間部を折りたたんで格納できる十分な大きさを備えたタオルを提供することで上記課題を解決する。
【０００７】
また、本願考案は、前記第一のポケットは開口部にファスナーを備える、段落０００７に記載のタオルを提供することで上記課題を解決する。
【０００８】
また、本願考案は、前記第一のポケットと前記中間部の境界に相当する部分、及び、前記第二のポケットと前記中間部の境界に相当する部分に金具で連結可能なループを設けた段落０００７または段落０００８に記載のタオルを提供することで上記課題を解決する。
【考案の効果】
【０００９】
折りたたむことで、小物入れを備えたバッグとしても使用できるため携帯性に優れ、ファッション性も高いマフラータオルが提供される。
【図面の簡単な説明】
【００１０】
【図１】本願考案に係るマフラータオルの一例の全体図である。
【図２】本願考案に係るマフラータオルの一例をバッグの形状に変更させる方法を表わした図である。
【図３】本願考案に係るマフラータオルの一例をバッグの形状に変更させた状態を表わした正面図である。
【図４】本願考案に係るマフラータオルの一例をバッグの形状に変更させる状態の側面図である。
【図５】本願考案に係るマフラータオルの一例をバッグの形状に変更した場合のバリエーションを表わした図である。
【考案を実施するための形態】
【００１１】
図１に本願考案の第一の実施形態に係るマフラータオルの一例の全体図を示す。本願考案に係るマフラータオルはタオル地でできていることが望ましいが、フリース地等その他の柔軟な素材を使用していてもよい。なお、本明細書でマフラータオルと記した場合にはタオル地素材に限定されないものとする。
【００１２】
本願考案に係るマフラータオル（１０１）は、第一のポケット（１０２）、中間部（１０３）、及び、第二のポケット（１０４）という３つの構成要素から成る。マフラータオル（１０１）には、スポーツ選手や音楽アーティストの名前やデザインが描かれていることが通常であり、頭上や胸前に掲げて応援グッズとして使用されることが多いことから、一般的なタオルよりも細長い形状であることが望ましいが、一般的タオルと同等の形状でもよい。第一のポケット（１０２）は、後述のバッグ形状とした時に小物入れとして機能するポケットである。第一のポケットの開口部（１０２−１）は、ファスナーを備えていても備えていなくてもよい。また、このファスナーはジッパーであっても面ファスナーであってもよい。第二のポケット（１０４）は、後述のバッグ形状とする際に中間部（１０３）を格納するためのポケットであり、中間部（１０３）を折りたたんで格納するのに十分な大きさを備えている。
【００１３】
第一のポケット（１０２）、及び、第二のポケット（１０３）の開口部の位置でマフラータオルの端に相当する複数箇所（典型的には四箇所）にループ（１０５）を設けてもよい。ループを設けることで、金具等によってループをつなぎ合わせ、後述のとおり、マフラータオルをバッグ形状に変化させた時に、バッグ形状にした時に形状を安定させ使いやすくできる。当該金具は肩掛け、あるいは、手提げに使用できるベルトに設けられていることが望ましい。また、当該金具の素材は金属に限定されず、プラスチックやゴム等であってもよい。また、当該金具はカラビナロック方式であり、容易に着脱可能であることが望ましいが、面ファスナーによりループを固定できる構造であってもよい。
【００１４】
図２に、本願考案の一実施形態に係るマフラータオルをバッグの形状に変更させる方法を示す。図２に示すように、マフラータオルの中間部（１０３）を折りたたんで第二のポケットに収納することでマフラータオルをバッグ形状に変換できる。この場合に、ループ（１０５）を金具等で固定できるようにすることが望ましい。当該金具等はベルトの両端に設けられていることが望ましい。ベルトは肩掛けに適した長さであることが望ましいが、後述のように他の形態を取れるようにしてもよい。
【００１５】
図３に本願考案に係るマフラータオルをバッグ形状に変換した場合の正面図を示す。また、図４に図３と同等の構成を横から見た図を示す。ベルト（３０１）の両端に設けられた金具（３０２）によりループ（１０５）が固定されている。第一のポケット部分（１０２）は、そのままバッグとして機能する。
【００１６】
図５に本願考案に係るマフラータオルをバッグ形状に変換した時の代替の構成例を示す。ベルト（ストラップ）を使用せず、ベルト通しにベルトを通す形態としてもよい。ベルトを使用せず、ポーチとして使用できるようにしてもよい。この場合に、金具等によりループをつなぎ合わせるようにしても合わせなくてもよい（図５は金具等を使用していない場合の例）。また、この場合には第一のポケットの開口部（１０２−１）にはファスナーが備えられていることが望ましい。ベルト（ストラップ）を２本使用して、もちやすいハンドバッグ形状にできるようにしてもよい。加えて、ループと金具等ではなく面ファスナーによってバッグ形状を固定できるようにしてもよい。バッグ形状とした際に第一のポケットと第二のポケットが密着するように面ファスナーで固定できるようにしてもよい。
【００１７】
本願考案に係るマフラータオルを使用することで、たとえば、コンサート会場やスポーツ競技場に向かう際に、中間部（１０３）を第二のポケット（１０４）に格納してマフラータオルをバッグ形状とすることで、かさばらず、かつ、ファッション性を保ちながら、小物を運び、コンサート会場やスポーツ競技場に着いた後では、中間部（１０３）を第二のポケット（１０４）から取り出して細長いマフラータオル形状として応援等に使用し、帰宅時には再度バッグ形状に戻して、携帯性とファッション性を維持できる。また、本願考案に係るマフラータオルは携帯性とファッション性に優れるだけではなく、使用形態としての面白さもあることから、マーチャンダイズ（公式グッズ）として提供する際にも希少性が高く、購入者の購買欲を高められるという効果もある。
【図１】
0003203308.tif 000003
【図２】
0003203308.tif 000004
【図３】
0003203308.tif 000005
【図４】
0003203308.tif 000006
【図５】
0003203308.tif 000007